(57)【要約】【課題】  通常の集塵手段に不都合が生じたら、その代替の集塵手段を使用できるように構成した電気掃除機を提供する。【解決手段】  通常は、紙パック等の通常の集塵手段４を集塵手段の取付口６に装着して掃除を行なう。その時、代替用の簡易ダストボックス８は本体ダストカバー３に形成された爪７に係合されて集塵部１内に収納保持されている。通常の集塵手段４の不都合時、簡易ダストボックス８を本体ダストカバー３の爪７から取り外し、集塵手段の取付口６に取り付けて使用することにより、継続して掃除が可能となる。【選択図】      図１
2005224391.tif 000002
【特許請求の範囲】
【請求項１】
本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段と取り替え可能に構成したことを特徴とする電気掃除機。
【請求項２】
前記緊急用の集塵手段として本体に収納できる簡易ダストボックスを設けたことを特徴とする請求項１記載の電気掃除機。
【請求項３】
前記簡易ダストボックスを本体に収納時と、使用時とで集塵容量を変更可能とすることを特徴とする請求項２記載の電気掃除機。
【請求項４】
前記簡易ダストボックスにティッシュペーパーを挟み込んで使用することを特徴とする請求項２記載の電気掃除機。
【請求項５】
前記簡易ダストボックスは、ダストボックスカバーとダストボックス内側形状に沿わせた形状とを、集塵部深さ程度の長さで連結したことを特徴とする請求項４記載の電気掃除機。
【請求項６】
前記簡易ダストボックスは、二重円筒構成の伸縮ダストボックスとダストボックスガバーとウレタンフィルターにて構成され、ダストボックスとダストボックスカバーの間にティッシュペーパーを挟み込んで使用することを特徴とする請求項４記載の電気掃除機。
【請求項７】
前記簡易ダストボックスは、二重円筒構成の伸縮ダストボックスとダストボックスガバーとウレタンフィルターにて構成され、簡易ダストボックスを縮められた状態で本体に収納するときに、ウレタンフィルターの押えをエル字型の形状にすることで、収納時にウレタンフィルターの底を押さえることを特徴とする請求項２記載の電気掃除機。
【請求項８】
ダストカバーの収納場所には、ウレタンフイルターの底を押し付けるボスが立てられていることを特徴とする請求項７記載の電気掃除機。
【請求項９】
本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスはダストカップと後部蓋部からなり、該後部蓋部はメッシュフィルター、ウレタンフィルター、プリーツフィルターの３重のフィルターを有し、ダストカップの前側を紙パックの台紙形状と同様の形状とすることを特徴とする電気掃除機。
【請求項１０】
前記ダストカップを透明な材料で形成することを特徴とする請求項９記載の電気掃除機。
【請求項１１】
本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスはリブを設けたダストカップと後部蓋部からなり、該後部蓋部はメッシュフィルター、ウレタンフィルター、プリーツフィルターの３重のフィルターを有し、かつダストカップと回転して嵌合する構造であり、該後部蓋を開閉する時の回転動作により、ダストカップに設けたリブにより後部蓋部のメッシュフィルターのチリ落しを行なうことを特徴とする電気掃除機。
【請求項１２】
本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは円筒型のダストカップと後部蓋部からなり、該後部蓋部はメッシュフィルター、ウレタンフィルター、プリーツフィルターの３重のフィルタを有し、かつダストカップと回転して嵌合する構造であり、該３重のフィルターの前面にティシュペーパーを配置することを特徴とする電気掃除機。
【請求項１３】
本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは半球体が２つ合わされた球体であり、ゴミ捨て時に該半球体が真中から両側に開く構造であることを特徴とする電気掃除機。
【請求項１４】
本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは半球体が２つ合わされた球体であり、ゴミ捨て時に該半球体の片側が回転し開く構造であることを特徴とする電気掃除機。
【請求項１５】
本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは主として本体取付部と軟質材のゴミ収納部からなり、ゴミ捨て時に該ゴミ収納部を手で押すことにより、ゴミ集塵部を変形させてゴミを押し出すようにしたことを特徴とする電気掃除機。
【発明の詳細な説明】
【技術分野】
【０００１】
本発明は通常使用の集塵手段に代えて暫定的な集塵手段と取替可能にした電気掃除機に関する。
【背景技術】
【０００２】
従来の電気掃除機の殆どは、紙パック・パックレスなどの集塵手段を取り外すことが可能な構成となっていて、何度かの掃除により集塵手段にゴミが一杯になったら、予め準備している取替用の紙パック・パックレスなどの集塵手段と交換して、再び掃除を可能とするものである。このようなタイプの電気掃除機は極めて一般的である（例えば、特許文献１参照）。
【特許文献１】特開２００２−２５３４４９公報
【発明の開示】
【発明が解決しようとする課題】
【０００３】
従来の電気掃除機では、紙パックタイプのものは、取替用の紙パックが手元になければ掃除機本体を使用することができず、またパックレスタイプはフィルター等が目詰まりした際などに、同様に掃除機本体を使用することができなくなるという問題があった。そこで本発明は、通常の集塵手段に不都合が生じたら、その代替として小型の簡易ダストボックス等の暫定的な集塵手段を使用できるように構成した電気掃除機を提供することを目的とする。
【課題を解決するための手段】
【０００４】
上記課題を解決するために、本発明の請求項１に係る電気掃除機は、本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段と取り替え可能に構成した。
【０００５】
こうして、緊急用の集塵手段を使用することにより、取替用の紙パックが手元になくても掃除機本体を使用することができ、また、パックレスタイプのフィルター等の目詰まり箇所を掃除することができ、再びパックレスの集塵手段を使用することができる。その他、ペットの毛などの臭い等の気になるゴミを掃除する時に、通常の集塵手段と使い分けて緊急用の集塵手段を使用し、直ぐに捨てることで、集塵部に臭いの気になるゴミを溜めることなく清潔に使用できる。
【０００６】
本発明の請求項２に係る電気掃除機は、本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段として本体に収納できる簡易ダストボックスを設け、取り替え可能に構成した。
【０００７】
本発明の請求項３に係る電気掃除機は、本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段として本体に収納できる簡易ダストボックスを設け、取り替え可能にし、前記簡易ダストボックスを本体に収納時と、使用時とで集塵容量を変更可能に構成した。
【０００８】
こうして、電気掃除機の集塵手段の代替として簡易ダストボックスを手軽に使用する際、収納時のコンパクト化と使用時の集塵容量の確保を実現できる。
【０００９】
本発明の請求項４に係る電気掃除機は、本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段として本体に収納できる簡易ダストボックスを設け、取り替え可能にし、前記簡易ダストボックスにティッシュペーパーを挟み込んで使用する構成とした。
【００１０】
本発明の請求項５に係る電気掃除機は、本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段として本体に収納できる簡易ダストボックスを設け、取り替え可能にし、前記簡易ダストボックスにティッシュベーパーを挟み込んで使用し、前記簡易ダストボックスは、ダストボックスカバーとダストボックス内側形状に沿わせた形状とを、集塵部深さ程度の長さで連結した構成とした。
【００１１】
こうして、ティッシュペーパーを手で簡易ダストボックスの内側に押し込むことなく、内側のダストボックスカバーを簡易ダストボックスに装着することで、テイッシュペーパーを簡易ダストボックスの内側に沿わせることを可能とし、また運転時のティッシュペーパーの破れを低減することができる。
【００１２】
本発明の請求項６に係る電気掃除機は、本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段として本体に収納できる簡易ダストボックスを設け、取り替え可能にし、前記簡易ダストボックスは、二重円筒構成の伸縮ダストボックスとダストボックスガバーとウレタンフィルターにて構成され、ダストボックスとダストボックスカバーの間にティッシュペーパーを挟み込んで使用する構成とした。
【００１３】
こうして、ティッシュペーパーを手で簡易ダストボックスの内側に押し込むことなく、内側のダストボックスカバーを簡易ダストボックスに装着することで、テイッシュペーパーを簡易ダストボックスの内側に沿わせることを可能とし、また運転時のティッシュペーパーの破れを低減することができる。
【００１４】
本発明の請求項７に係る電気掃除機は、本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段として本体に収納できる簡易ダストボックスを設け、取り替え可能にし、前記簡易ダストボックスは、二重円筒構成の伸縮ダストボックスとダストボックスガバーとウレタンフィルターにて構成され、簡易ダストボックスを縮められた状態で本体に収納するときに、ウレタンフィルターの押えをエル字型の形状にすることで、収納時にウレタンフィルターの底を押さえる構成とした。
【００１５】
こうして、簡易ダストボックスを縮められた状態で本体に収納するときに、ウレタンフィルターの押えをエル字型の形状にすることで、収納時にウレタンフィルターの底を押さえることにより、ウレタンフイルターに無理な負荷を加えることなく、コンパクトに本体に収納できることができる。
【００１６】
本発明の請求項８に係る電気掃除機は、本体ケース内に集塵部、電動送風機収納部を有し、集塵部に配置される紙パック等の集塵手段に塵挨を吸引分離する電気掃除機において、紙パック等の通常使用の集塵手段に使用上の不都合がある場合、該通常使用の集塵手段に代えて緊急用の集塵手段として本体に収納できる簡易ダストボックスを設け、取り替え可能にし、前記簡易ダストボックスは、二重円筒構成の伸縮ダストボックスとダストボックスガバーとウレタンフィルターにて構成され、簡易ダストボックスを縮められた状態で本体に収納するときに、ダストカバーの収納場所には、ウレタンフイルターの底を押し付けるボスが立てられていて、ウレタンフィルターの押えをエル字型の形状にすることで、収納時にウレタンフィルターの底を押さえる構成とした。
【００１７】
こうして、簡易ダストボックスを縮められた状態で本体に収納するときに、本体ダストカバーの収納場所にウレタンフイルターの底を押し付けるボスが立てられていることにより、ウレタンフイルターに無理な負荷を加えることなく、コンパクトに本体に収納できることができる。
【００１８】
本発明の請求項９に係る電気掃除機は、本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスはダストカップと後部蓋部からなり、該後部蓋部はメッシュフィルター、ウレタンフィルター、プリーツフィルターの３重のフィルターを有し、ダストカップの前側を紙パックの台紙形状と同様の形状となるように構成した。
【００１９】
本発明の請求項１０に係る電気掃除機は、本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは透明な材料で形成したダストカップと後部蓋部からなり、該後部蓋部はメッシュフィルター、ウレタンフィルター、プリーツフィルターの３重のフィルターを有し、ダストカップの前側を紙パックの台紙形状と同様の形状となるように構成した。
【００２０】
こうして、集塵ボックスの透明のダストカップの前側の台座を紙パックの台紙形状と同様の形状で形成することで、紙パック式との併用が可能で、装着忘れ防止の機能も同じ機構で対応することが可能となる。
【００２１】
本発明の請求項１１に係る電気掃除機は、本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスはリブを設けたダストカップと後部蓋部からなり、該後部蓋部はメッシュフィルター、ウレタンフィルター、プリーツフィルターの３重のフィルターを有し、かつダストカップと回転して嵌合する構造であり、該後部蓋を開閉する時の回転動作により、ダストカップに設けたリブにより後部蓋部のメッシュフィルターのチリ落しを行なうように構成した。
【００２２】
こうして、ゴミ捨て時に後部蓋部の回転によりメッシュフィルターのチリ落しの役割を果たすので、集塵ボックス内のゴミ処理時の開閉動作と同時にメッシュフィルター部のチリ落しが行なえるので、手入れの手間を軽減できる。
【００２３】
本発明の請求項１２に係る電気掃除機は、本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは円筒型のダストカップと後部蓋部からなり、該後部蓋部はメッシュフィルター、ウレタンフィルター、プリーツフィルターの３重のフィルターを有し、かつダストカップと回転して嵌合する構造であり、該３重のフィルターの前面にティシュペーパーを配置する構成とした。
【００２４】
こうして、集塵ボックス内のフィルター部の汚れ防止のためのティシュペーパーの簡単装着が可能となり、ティシュペーパーが後部フィルター部の保護となる。また、円筒形状にすることで、後部蓋部の開閉を回転動作での爪嵌合方式の形状が可能となり、後部蓋部の固定のためのクランプフック等が不必要となり、部品点数の減少にもつながる。
【００２５】
本発明の請求項１３に係る電気掃除機は、本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは半球体が２つ合わされた球体であり、ゴミ捨て時に該半球体が真中から両側に開く構造とした。
【００２６】
こうして、集塵ボックスを球形にすることにより、球形がゴミを捨てる際の勾配となり、ゴミ離れがよい。また、集塵ボックスを球形にすることにより、集塵ボックス内に角がないためゴミが集中的に溜まることがなく、汚れが目立たず衛生的であると共に、手入れが容易である。そして、フィルター部を球形にすることにより、フィルター面積を大きくとることができる。
【００２７】
本発明の請求項１４に係る電気掃除機は、本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは半球体が２つ合わされた球体であり、ゴミ捨て時に該半球体の片側が回転し開く構造とした。
【００２８】
こうして、集塵ボックスを球形にすることにより、球形がゴミを捨てる際の勾配となり、かつゴミ処理時に半球が回転することで集塵ボックス内のゴミを掻き出すことができ、ゴミ離れがよい。
【００２９】
本発明の請求項１５に係る電気掃除機は、本体ケース内に集塵部、電動送風機収納部を有し、集塵部に配置される紙パックの集塵手段に塵挨を吸引分離する電気掃除機において、紙パックが取り付く集塵室に装着可能な集塵ボックスを用意し、該集塵ボックスは主として本体取付部と軟質材のゴミ収納部からなり、ゴミ捨て時に該ゴミ収納部を手で押すことにより、ゴミ集塵部を変形させてゴミを押し出すように構成とした。
【００３０】
こうして、集塵ボックス内のゴミを確実に捨てることができる。また、形状が変化するので、手入れの際に、ゴミ収納部の底を押し出してやることで、手入れしにくかつた集塵ボックス内の底部等も容易に洗うことができる。
【発明の効果】
【００３１】
以上のように本発明の電気掃除機は、紙パック等の通常の集塵手段の不都合により掃除機が使用できない際に、簡易ダストボックスを使用することで掃除が可能となる。また、この簡易ダストボックスを使用することにより、パックレスタイプのフィルター等の目語まり箇所を掃除することができ、再びパックレスの集塵部を使用することができる。その他、ペットの毛などの臭い等の気になるゴミを掃除する時に、通常の集塵手段と使い分けて簡易ダストボックスを使用し、集塵後に直ぐに捨てることで、集塵部に臭いが気になるゴミを溜めることなく清潔に使用できるという効果もある。
【発明を実施するための最良の形態】
【００３２】
本発明の電気掃除機の実施形態について図を参照して説明する。図１は本発明の通常の集塵手段を取り付けた電気掃除機の本体断面図を示す。図２は通常の集塵手段を取り外し、簡易ダストボックスを代替使用中の電気掃除機の本体断面図を示す。電気掃除機は集塵部と電動送風機収納部から構成され、１は集塵部、２は電動送風機収納部、３は本体ダストカバー、４は紙パック・パックレスタイプ（例えば、サイクロン方式）のフィルター等の通常の集塵手段、５は吸気流入口、６は集塵手段の取付口、７は本体ダストカバー３に形成された爪、８は簡易ダストボックスである。
【００３３】
通常は、図１に示すように、紙パック等の通常の集塵手段４を集塵手段の取付口６に装着して掃除を行なうものであり、従来の電機掃除機の使用動作と同じである。その時、簡易ダストボックス８は本体ダストカバー３に形成された爪７に係合されて集塵部１内に収納保持されている。
【００３４】
このように、通常の集塵手段４の代替用として簡易ダストボックス８を手軽に使用できるように構成し、それを本体に収納しておくことにより、通常の集塵手段４の不都合時、即ち、掃除の途中で集塵手段の紙パックが一杯になったり、また、パックレスタイプのフィルターの目詰り、水洗いして乾かしている場合等の理由により掃除機が使用できない際に、図２に示すように、簡易ダストボックス８を本体ダストカバー３の爪７から取り外し、集塵手段の取付口６に取り付けて使用することにより、継続して掃除が可能となる。
【００３５】
また、この簡易ダストボックスを使用することにより、パックレスタイプのフィルター等の目詰まり箇所を掃除することができ、再びパックレスの集塵手段を使用することができる。その他、ペットの毛などの臭い等の気になるゴミを掃除する時に、通常の集塵手段と使い分けて簡易ダストボックスを使用し、直ぐに捨てることで、集塵部に臭いの気になるゴミを溜めることなく清潔に使用できるという効果もある。
【００３６】
本発明の電機掃除機に用いる簡易ダストボックス８としては種々の形態のものが考えられるので、以下に、簡易ダストボックスの各種の実施態様を図面に基づき説明する。
【実施例１】
【００３７】
図３は簡易ダストボックスの第１の実施形態である。
通常の集塵手段の代替として簡易ダストボックスを集塵部に収納できるように小型に構成しているために、集塵容量が少ないという欠点があった。そこで、この実施形態は前記欠点を解消するもので、簡易ダストボックスを本体に収納時と、使用時とで集塵容量を変更可能とし、これにより収納時のコンパクト化と、使用時の集塵容量確保を同時に実現するものである。
【００３８】
図３（Ａ）は簡易ダストボックスの平面断面図、図３（Ｂ）は集塵部に収納時の側面断面図、図３（Ｃ）は集塵手段の取付口に取り付けられる状態の側面断面図を示す。
【００３９】
簡易ダストボックス８の形状は、図に示すように、ダストボックスカバーの外側円筒１０と内側円筒１１の二重の円筒構成と内側のダストボックスカバー１３とからなっており、ダストフィルターとしてウレタンフイルター１２を使用している。集塵部に簡易ダストボックス８を収納時には、ウレタンフイルター１２は円筒高さ方向に縮められた状態となって設置されている。
【００４０】
集塵手段の取付口に取り付けられて使用する場合は、図３（Ｃ）に示すように、簡易ダストボックス８をダストカバー３の爪７より取り外した時、縮められていたウレタンフィルター１２のバネ性により、二重円筒１０、１１がスライドし、集塵容量が２倍となる。図２に示すように、その状態で取付口６に取り付け使用する。このように、電気掃除機の集塵手段の代替として簡易ダストボックスを手軽に使用する際、収納時のコンパクト化と使用時の集塵容量の確保を実現する。
【実施例２】
【００４１】
次に、本発明の簡易ダストボックスの他の実施形態を図４を参照して説明する。  集塵手段の代替として小型のダストボックスを使用できるように構成し、手軽な掃除を可能とした。この簡易ダストボックスは、家庭用のティッシュヘーパー等を挟みこんで使用することができる構成とすることにより、ゴミを包んで捨てやすく、かつ簡便である。ここでティッシュペーパーを挟みこむ際、簡易ダストボックスの内側形状に沿わせて袋状にすると、ゴミ捨ての際に使いやすいが、簡易ダストボックス内側形状にきれいに沿わないで空間が残った場合に、掃除機運転時にティッシュペーパーが破れるという欠点がある。
【００４２】
そのため、ダストボックスの内側形状に沿わせて袋状になるように、ティッシュペーパーを手で押し込む作業を必要とした。この実施形態のものは、かかる欠点を解消するもので、ダストボックスカバーとダストボックス内側形状に沿わせた形状とを、集塵部深さ程度の長さで連結したものを形成する。
【００４３】
以下図４に基づき説明する。図４（Ａ）は簡易ダストボックスの平面断面図、図４（Ｂ）は簡易ダストボックスにティッシュペーパーを挟む際のセンター側面断面図、図４（Ｃ）は簡易ダストボックスにティッシュペーパーを装着した側面断面図を示す。図において、図３と同一物には同一符号を付している。
【００４４】
簡易ダストボックス８は円筒形状をしており、ダストボックスカバーの外側円筒１０と内側円筒１１の二重の円筒構成となっており、内側のダストボックスカバー１３には、簡易ダストボツクス８内のウレタンフィルター１２の形状に沿う円筒形状部１４の長さＬがダストボックス８の内面深さＬと同程度となるように連結されてある。
【００４５】
ここに、図４（Ｂ）に示すように、ティッシュペーパー１５を簡易ダストボックス８の上に載せて、この状態で、簡易ダストボックスと内側のダストボックスカバー１３を装着すると、図４（Ｃ）のように、ティッシュペーパー１５を簡易ダストボックス８の内側形状に沿わせて押し込むことができる。この実施形態の簡易ダストボックスの形状は円筒形状であるが、直方体などのその他の形状のものにも適用できる。
【００４６】
このように、ティッシュペーパー１５を手で簡易ダストボックス８の内側に押し込むことなく、内側のダストボックスカバー１３を簡易ダストボックス８に装着することで、テイッシュペーパー１５を簡易ダストボックス８の内側に沿わせることを可能とし、また運転時のティッシュペーパーの破れを低減することができる。
【実施例３】
【００４７】
次に、本発明に用いる簡易ダストボックスの他の実施形態を図５を参照して説明する。図５（Ａ）は単にティッシュペーパー等を挟み込んで使用する場合、図５（Ｂ）本発明の実施形態である。ここで、図４と同一物には同一符号を付している。
【００４８】
簡易ダストボックスに単に家庭用のティッシュペーパー等を挟みこんで使用する場合は、図５（Ａ）に示すように、簡易ダストボックス８は円筒形状をしており、ダストボックスカバーの外側円筒１０と内側円筒１１の二重の円筒構成と、内側のダストボックスカバー１３を有し、簡易ダストボックス８の内側にウレタンフィルター１２の配置し、簡易ダストボックス８と内側のダストボックスカバー１３の間にティッシュペーパー１５を挟みこむと、簡易ダストボックス８のコーナーにおいて、ウレタンフィルタ１２とティッシュペーパー１５との間に空間が残り、そのまま掃除機を運転させると、ティッシュペーパー（４）が破れる可能性がある。
【００４９】
そこで、本発明のこの実施形態では図５（Ｂ）のように、ウレタンフィルター１２形状を半円球状に近い形にすることで、簡易ダストボックス８のコーナーにおける、ウレタンフィルター１２とティッシュペーパー１５との間の空間をほぼなくすことができる。
【００５０】
このように、ティッシュペーパー１５を手で簡易ダストボックス８の内側に押し込むことなく、内側のダストボックスカバー１３を簡易ダストボックス８に装着することで、テイッシュペーパー１５を簡易ダストボックス８の内側に沿わせることを可能とし、また運転時のティッシュペーパーの破れを低減することができる。
【実施例４】
【００５１】
次に、本発明に用いる簡易ダストボックスの他の実施形態を図６〜図８を参照して説明する。図６（Ａ）は簡易ダストボックスの平面断面図、図６（Ｂ）は集塵部に収納時の側面断面図、図６（Ｃ）は集塵手段の取付口に取り付けられる状態の側面断面図を示す。図７は本発明の電気掃除機の本体断面図を示す。図８は通常の集塵手段を取り外し、簡易ダストボックスを代替使用中の電気掃除機の本体断面図を示す。図中、図１、図２の電気掃除機の構成と同一物には同一符号を付しており、ここでの説明は省略する。
【００５２】
簡易ダストボックスにウレタンフィルターを用いると、本体に収納するとき集塵容量を変更可能とすることができ、収納時のコンパクト化と使用時の集塵容量確報を可能とした。しかし、このダストボックスはウレタンフィルターがきれいな形で縮められず、縮められたウレタンフィルターには大きな負荷が加ってしまうという欠点があった。
【００５３】
この実施形態の簡易ダストボックスはこの欠点を解消するものである。簡易ダストボックスの形状は、図６に示すように、簡易ダストボックス８は円筒形状をしており、内側円筒１１の円筒と内側のダストボックスカバー１３の円筒構成を有し、ダストフイルターとしてウレタンフィルター１２の配置している。
【００５４】
内側円筒１１にはエル字型のウレタンフィルター押え１６、１７が取付けられており、収納時には、図６（Ｂ）に示すように、ウレタンフィルター１２は高さ方向に、エル字型のウレタンフィルター押え１６が可動することで、きれいな状態で収縮されている。
【００５５】
簡易ダストボックス８を本体ダストカバー３より取り外したとき、図６（Ｃ）に示すように、縮められていたウレタンフィルター１２のバネ性により、エル字型のウレタン押え１６が可動し、全体が拡張し、簡易ダストボックスの集塵容量が２倍となる。
【００５６】
通常は、図７のように紙パック等の通常の集塵手段４を集塵手段の取付口６に装着して掃除を行なうものであり、従来の電機掃除機の使用動作と同じである。その時、簡易ダストボックス８は本体ダストカバー３に形成された爪７に係合されて集塵部１内に収納保持されている。
【００５７】
通常の集塵手段４の不都合時、即ち、掃除の途中で集塵手段の紙パックが一杯になったり、また、バックレスタイプのフィルターの目詰り、水洗いして乾かしている場合等の理由により掃除機が使用できない際に、図８に示すように、簡易ダストボックス８を本体ダストカバー３の爪７から取り外し、集塵手段の取付口６に取り付けて使用することにより、継続して掃除が可能となる。
【００５８】
このように、簡易ダストボックスを縮められた状態で本体に収納するときに、ウレタンフィルターの押えをエル字型の形状にすることで、収納時にウレタンフィルターの底を押さえることにより、ウレタンフイルターに無理な負荷を加えることなく、コンパクトに本体に収納できることができる。
【実施例５】
【００５９】
次に、本発明に用いる簡易ダストボックスの他の実施形態を図９〜図１１を参照して説明する。図９（Ａ）は簡易ダストボックスの平面断面図、図９（Ｂ）は集塵部に収納時の側面断面図、図９（Ｃ）は集塵手段の取付口に取り付けられる状態の側面断面図を示す。図１０は本発明の電気掃除機の本体断面図を示す。図１１は通常の集塵手段を取り外し、簡易ダストボックスを代替使用中の電気掃除機の本体断面図を示す。図中、９は電気掃除機の本体ダストカバーに立てられているはボスであり、他は図１、図２の電気掃除機の構成と同一物には同一符号を付しており、ここでの説明は省略する。
【００６０】
簡易ダストボックス８の形状は、図９に示すように、ダストボックスカバーの外側円筒１０と内側円筒１１の二重の円筒構成と内側のダストボックスカバー１３とからなっており、ダストフィルターとしてウレタンフイルター１２を使用している。集塵部に簡易ダストボックス８を収納時には、図９（Ｂ）のように、ウレタンフイルター１２は高さ方向に、本体ダストカバー３に立てられているボス９によってきれいに縮められた状態となっている。
【００６１】
通常は、図１０のように紙パック等の通常の集塵手段４を集塵手段の取付口６に装着して掃除を行なうものであり、従来の電機掃除機の使用動作と同じである。その時、簡易ダストボックス８は本体ダストカバー３に形成された爪７に係合されて集塵部１内に収納保持されている。この時、本体ダストカバー３にはボス９が立てられていて、集塵部に簡易ダストボックス８を収納時には、ウレタンフイルター１２は円筒高さ方向に縮められた状態となって設置されている。
【００６２】
集塵手段の取付口に取り付けられて使用する場合は、図９（Ｃ）に示すように、簡易ダストボックス８をダストカバー３の爪７より取り外した時、縮められていたウレタンフィルター１２のバネ性により、二重円筒１０、１１がスライドし、集塵容量が２倍となる。図１１に示すように、その状態で取付口６に取り付け使用する。これで、電気掃除機の集塵手段の代替として簡易ダストボックスを手軽に使用する際、収納時のコンパクト化と使用時の集塵容量の確保を実現する。
【００６３】
こうして、簡易ダストボックス８を縮められた状態で本体に収納するときに、本体ダストカバー３の収納場所にウレタンフイルター１２の底を押し付けるボス９が立てられていることにより、ウレタンフイルター１２に無理な負荷を加えることなく、コンパクトに本体に収納できることができる。
【００６４】
以上に説明した本発明の実施形態は通常使用する集塵手段に不都合が生じた際に、電気掃除機の集塵部に収納した緊急用の集塵手段を代替使用するものであるが、電気掃除機の外部に用意された緊急用の集塵手段を代替使用するものについて、特に通常使用する集塵手段として紙パックを使用するものを対象にして、次に説明する。
【００６５】
次に、本発明の電気掃除機の実施形態について図を参照して説明する。図１２は本発明の電気掃除機の本体断面図を示す。電気掃除機は集塵部と電動送風機収納部から構成され、１は集塵部、２は電動送風機収納部、３は本体ダストカバー、５は吸気流入口、６は集塵手段の取付口、２０は３重のフィルターからなる集塵手段の集塵ボックスである。
【００６６】
通常は、紙パックの通常の集塵手段を集塵手段の取付口６に装着して掃除を行なうものであり、従来の電機掃除機の使用動作と同じである。通常の集塵手段の不都合時、即ち、掃除の途中で集塵手段の紙パックが一杯になったか、予備の紙パックが用意されていなかった場合に、本発明の集塵ボックス２０を集塵手段の取付口６に取り付けて使用することにより、継続して掃除が可能となる。
【００６７】
本発明の電機掃除機に用いる集塵ボックス２０としては種々の形態のものが考えられるので、以下に、集塵ボックス２０の各種の実施態様を図面に基づき説明する。
【実施例６】
【００６８】
本発明の電気掃除機に用いる集塵ボックス２０の実施形態を図１３〜図１６を参照して説明する。図１３は集塵ボックス２０の側面分解図、図１４は集塵ボックス２０の組み立てられた側面断面図、図１５（Ａ）はダストカップの側面断面図、図１５（Ｂ）はダストカップの後面断面図、図１は本発明の集塵ボックスの斜視図を示す。
【００６９】
図１３において、本発明の集塵ボックス２０は、主にダストカップ２１とメッシュフィルター２４とウレタンフィルター２５と、後部蓋部２３に装着されたプリーツフィルター２６で構成され、これらを組み立てることにより集塵ボックス２０は構成される。そして、ダストカップ２１の前側には紙パックの台紙形状と同様形状の台紙２２を形成する。
【００７０】
図１３の分解された各部材を組み立てると図１４の組立図となる。そして、集塵ボックス２０の側面断面図は図１５（Ａ）に示され、後面断面図は図１５（Ｂ）に示され、組み立てられた集塵ボックス２０の斜視図を図１６に示す。ダストカップ２１を透明の素材で形成することにより、ゴミの集塵状態が目視することができる。
【００７１】
このように、集塵ボックスの透明のダストカップの前側の台座を紙パックの台紙形状と同様の形状で形成することで、紙パック式との併用が可能で、装着忘れ防止の機能も同じ機構で対応することが可能となる。
【実施例７】
【００７２】
次に、本発明の電気掃除機に用いる集塵ボックスの他の実施形態を図１７〜図２０を参照して説明する。図１７は集塵ボックス２０の側面断面図、図１８（Ａ）はダストカップの側面断面図、図１８（Ｂ）はダストカップの後面断面図、図１９は本発明のダストカップと後部蓋部ベースの側面断面図、図２０は本発明の集塵ボックスの斜視図を示す。ここで、図１２〜図１６におけるものと同一物には同一の符号を付している。
【００７３】
電気掃除機において、紙パックレスで使用時はフィルター部の汚れがひどく、手入れが面倒である。そこで、この欠点を解消するために、この実施形態のものが実施例６のものと異なる点は、図１７及び図１８に示すように、集塵ボックス２０を構成するダストカップ２１の内側にメッシュフィルター２４と接する高さの格子状の複数のリブ２７を設けていることである。
【００７４】
そして、図１９のダストカップと後部蓋部ベースの側面断面図に示すように、ダストカップ２１の嵌合爪２８と後部蓋部ベース３０の嵌合爪２９により、後部蓋部２３は回転時に嵌合する構造とする。このように構成された集塵ボックスの組み立てられた斜視図を図２０に示す
【００７５】
ゴミ捨て時に後部蓋部２３を回転させて開ける際、その回転によりダストカップ２１の格子状の複数のリブ２７が後部蓋部２３のメッシュフィルター２６のチリ落しの役割を果たす。こうして、集塵ボックス内のゴミ処理時の開閉動作と同時にメッシュフィルター部のチリ落しが行なえるので、手入れの手間を軽減できる。
【実施例８】
【００７６】
次に、本発明の電気掃除機に用いる集塵ボックスの他の実施形態を図面を参照して説明する。図２１は集塵ボックス２０の側面断面図である。この集塵ボックス２０のダストカップの側面断面図とダストカップの後面断面図は、夫々図１５（Ａ）、図１５（Ｂ）と同じであり、本発明のダストカップと後部蓋部ベースの側面断面図は図１９と同じであり、また、本発明の集塵ボックスの斜視図は図１６と同じであるので、ここでは図面と説明を省略する。
【００７７】
電気掃除機において、紙パックレスで使用時はフィルター部の汚れがひどく、手入れが面倒であった。そこで、この集塵ボックスの実施態様では、後部フィルター部の汚れ防止を目的として、ティシュペーパーが装着可能な構造とするものである。
【００７８】
図１４に示す集塵ボックス２０と図２１に示す集塵ボックス２０の相違点は、ダストカップ２１によりメッシュフィルター２４の前方に、後部フィルター部の汚れ防止を目的として、ティシュペーパー３１を装着可能な構造としたことである。また、応力が均一にかかり、ティシュペーパー３１がきれいに装着しやすいように、ダストカップ２１は円筒形状にする。
【００７９】
このような構成とすることにより、集塵ボックス内のフィルター部の汚れ防止のためのティシュペーパーの簡単装着が可能となり、ティシュペーパーが後部フィルター部の保護となる。また、円筒形状にすることで、後部蓋部の開閉を回転動作での爪嵌合方式の形状が可能となり、後部蓋部の固定のためのクランプフック等が不必要となり、部品点数の減少にもつながる。
【００８０】
次に、電気掃除機の外部に用意された緊急用の集塵手段を代替使用するものであって、従来の集塵ボックスが、ゴミを集塵ボックスから捨てる際に、ゴミ離れが悪く、ゴミを捨てにくく、集塵ボックス内の手入れが面倒であると共に、小さい空間ではフィルターの面積を大きくとることができなかった。さこで、ゴミ捨てが容易な集塵手段としての別のタイプの集塵ボックスを使用するものについて説明する。
【実施例９】
【００８１】
本発明の電気掃除機に用いる集塵ボックスの実施形態を図面を参照して説明する。図２２（Ａ）は球形の集塵ボックス３２の側面図、図２２（Ｂ）は集塵ボックス３２の側面断面図、図２２（Ｃ）は球形の集塵ボックス３２を開いた状態の側面断面図である。
【００８２】
図２２において、集塵ボックス３２は半球体３４、３５が回動軸３７により２つ合わされ、留金３８で係合された球体である。ゴミ捨て時には、留金３８の係合をはずし、該半球体３４、３５が真中から両側に開き、図２２（Ｃ）に示すように、球形の集塵ボックス３２は開きゴミがスムーズに排出される状態となる。集塵ボックス３２の前側の台座３３を紙パックの台紙形状と同様の形状で形成する。また、半球体３５の底面の開口部にはフィルター３６が配置されている。
【００８３】
このような集塵ボックス３２を電気掃除機に適用した状態を図２３の本体断面図に示す。電気掃除機は集塵部と電動送風機収納部から構成され、１は集塵部、２は電動送風機収納部、３は本体ダストカバー、５は吸気流入口、６は集塵手段の取付口、３２は球体の集塵ボックスである。
【００８４】
通常は、紙パックの通常の集塵手段を集塵手段の取付口６に装着して掃除を行なうものであり、従来の電機掃除機の使用動作と同じである。通常の集塵手段の不都合時、即ち、掃除の途中で集塵手段の紙パックが一杯になったか、予備の紙パックが用意されていなかった場合に、本発明の球体の集塵ボックス３２を集塵手段の取付口６に取り付けて使用することにより、継続して掃除が可能となる。
【００８５】
このように、集塵ボックスを球形にすることにより、球形がゴミを捨てる際の勾配となり、ゴミ離れがよい。また、集塵ボックスを球形にすることにより、集塵ボックス内に角がないためゴミが集中的に溜まることがなく、汚れが目立たず衛生的であると共に、手入れが容易である。そして、フィルター部を球形にすることにより、フィルター面積を大きくとることができる。
【実施例１０】
【００８６】
次に、本発明の電気掃除機に用いる集塵ボックスの他の実施形態を図面を参照して説明する。図２４（Ａ）は球形の集塵ボックス３２の側面図、図２４（Ｂ）は集塵ボックス３２の側面断面図、図２４（Ｃ）は球形の集塵ボックス３２を開いた状態の側面断面図である。
【００８７】
図２４において、集塵ボックス３２は半球体３４、３５が２つ合わされ、止めネジ３９，３９で係合された球体である。ゴミ捨て時には、止めネジ３９，３９を緩めて半球体３５が回転し半球体３４と重なり、図２４（Ｃ）に示すように、球形の集塵ボックス３２は開きゴミがスムーズに排出される状態となる。集塵ボックス３２の前側の台座３３を紙パックの台紙形状と同様の形状で形成する。また、半球体３５の底面の開口部にはフィルター３６が配置されている。
【００８８】
このような集塵ボックス３２を電気掃除機に適用した状態を図２５の平面断面図に示す。電気掃除機は集塵部と電動送風機収納部から構成され、１は集塵部、２は電動送風機収納部、３は本体ダストカバー、５は吸気流入口、６は集塵手段の取付口、３２は球体の集塵ボックスである。
【００８９】
通常の集塵手段の不都合時、即ち、掃除の途中で集塵手段の紙パックが一杯になったか、予備の紙パックが用意されていなかった場合に、本発明の球体の集塵ボックス３２を集塵手段の取付口６に取り付けて使用することにより、継続して掃除が可能となる。
【００９０】
このように、集塵ボックスを球形にすることにより、球形がゴミを捨てる際の勾配となり、かつゴミ処理時に半球３５が回転することで集塵ボックス内のゴミを掻き出すことができ、ゴミ離れがよい。また、集塵ボックスを球形にすることにより、集塵ボックス内に角がないためゴミが集中的に溜まることがなく、汚れが目立たず衛生的であると共に、手入れが容易である。そして、フィルター部を球形にすることにより、フィルター面積を大きくとることができる。
【実施例１１】
【００９１】
次に、本発明の電気掃除機に用いる集塵ボックスの他の実施形態を図２６〜図２８を参照して説明する。図２６（Ａ）は集塵ボックスの側面図、図２６（Ｂ）は集塵ボックスの側面断面図、図２６（Ｃ）は集塵ボックスの本体取付部の側面断面図、図２６（Ｄ）は集塵ボックスのゴミ収納部の側面断面図である。
【００９２】
図２６において、集塵ボックス４０は本体取付部４２と軟質材のゴミ収納部４３から形成され、ゴミ収納部４３の後側にはフィルター４４が配置されている。これら本体取付部４２と軟質材のゴミ収納部４３を組み立てて図２６（Ａ）及び図２６（Ｂ）に示す集塵ボックス４０が構成される。
【００９３】
このような集塵ボックス４０を電気掃除機に適用した状態を図２８の平面断面図に示す。電気掃除機は集塵部と電動送風機収納部から構成され、１は集塵部、２は電動送風機収納部、３は本体ダストカバー、５は吸気流入口、６は集塵手段の取付口、４０は集塵ボックスである。
【００９４】
通常の集塵手段の不都合時、即ち、掃除の途中で集塵手段の紙パックが一杯になったが、予備の紙パックが用意されていなかった場合に、本発明の集塵ボックス４０を集塵手段の取付口６に取り付けて使用することにより、継続して掃除が可能となる。
【００９５】
ゴミ捨て時には、図２７に示すように、電気掃除機における集塵手段の取付口６から取り外し、その状態が図２７（Ａ）である。次に、軟質材のゴミ収納部４３の底部を手で押すことにより、図２７（Ｂ）のように、ゴミ収納部を変形させ、図２７（Ｃ）の状態で、ゴミを押し出すことができる。
【００９６】
このような構成をとることにより、集塵ボックス内のゴミを確実に捨てることができる。また、形状が変化するので、手入れの際に、ゴミ収納部の底を押し出してやることで、手入れしにくかつた集塵ボックス内の底部等も容易に洗うことができる。
【図面の簡単な説明】
【００９７】
【図１】本発明の通常の集塵手段を取り付けた電気掃除機の本体断面図。
【図２】本発明の簡易ダストボックスを代替使用中の電気掃除機の本体断面図。
【図３】本発明の簡易ダストボックスの実施形態図。
【図４】本発明の簡易ダストボックスの実施形態図。
【図５】本発明の簡易ダストボックスの実施形態図。
【図６】本発明の簡易ダストボックスの実施形態図。
【図７】本発明の電気掃除機の本体断面図。
【図８】簡易ダストボックスを代替使用中の電気掃除機の本体断面図。
【図９】本発明の簡易ダストボックスの実施形態図。
【図１０】本発明の電気掃除機の本体断面図。
【図１１】簡易ダストボックスを代替使用中の電気掃除機の本体断面図。
【図１２】本発明の電気掃除機の本体断面図。
【図１３】本発明の集塵ボックスの側面分解図。
【図１４】本発明の集塵ボックスの組み立てられた側面断面図。
【図１５】ダストカップの断面図。
【図１６】組み立てられた集塵ボックスの斜視図。
【図１７】本発明の集塵ボックスの側面断面図。
【図１８】ダストカップの断面図。
【図１９】ダストカップと後部蓋部ベースの側面断面図。
【図２０】組み立てられた集塵ボックスの斜視図。
【図２１】本発明の集塵ボックスの組み立てられた側面断面図。
【図２２】本発明の球形の集塵ボックスの側面図。
【図２３】電気掃除機に適用した状態の本体断面図。
【図２４】本発明の球形の他の集塵ボックスの側面図。
【図２５】電気掃除機に適用した状態の本体平面断面図。
【図２６】本発明の軟質材の集塵ボックスの側面図。
【図２７】集塵手段の取付口から取り外した状態図。
【図２８】電気掃除機に適用した状態の本体平面断面図。
【符号の説明】
【００９８】
１                集塵部
２                電動送風機収納部
３                本体ケースカバー
４                通常の集塵手段
５                吸気流入口
６                集塵手段の取付口
７                取付爪
８，２０
３２，４０    集塵ボックス
９                ボス
１０              外側円筒
１１              内側円筒
１２，２５        ウレタンフィルタ
１３              ダストボックスカバー
１４              円筒形状部
１５，３１        ティッシュペーパー
１６，１７        ウレタンフィルタ押え
１８              メッシュ部
１９              ウレタンフィルタ
２１              ダストカップ
２２，３３，４１  台紙
２３              後部蓋部
２４              メッシュフィルタ
２６              プリーツフィルタ
２７              リブ
２８，２９        嵌合爪
３０              後部蓋部ベース
３４，３５        半球体
３６，４４        フィルタ
４２              本体取付部
４３              軟質材のゴミ収納部
【図１】
2005224391.tif 000003
【図２】
2005224391.tif 000004
【図３】
2005224391.tif 000005
【図４】
2005224391.tif 000006
【図５】
2005224391.tif 000007
【図６】
2005224391.tif 000008
【図７】
2005224391.tif 000009
【図８】
2005224391.tif 000010
【図９】
2005224391.tif 000011
【図１０】
2005224391.tif 000012
【図１１】
2005224391.tif 000013
【図１２】
2005224391.tif 000014
【図１３】
2005224391.tif 000015
【図１４】
2005224391.tif 000016
【図１５】
2005224391.tif 000017
【図１６】
2005224391.tif 000018
【図１７】
2005224391.tif 000019
【図１８】
2005224391.tif 000020
【図１９】
2005224391.tif 000021
【図２０】
2005224391.tif 000022
【図２１】
2005224391.tif 000023
【図２２】
2005224391.tif 000024
【図２３】
2005224391.tif 000025
【図２４】
2005224391.tif 000026
【図２５】
2005224391.tif 000027
【図２６】
2005224391.tif 000028
【図２７】
2005224391.tif 000029
【図２８】
2005224391.tif 000030